(57)【要約】【課題】高温雰囲気中であっても支障なく使用することができ、また、ノズル全体を交換する必要がなく、設備費を削減することができる液体噴出ノズルを提供する。【解決手段】一端側に給液部及び他端側にネジ部を有する管状のノズル胴と、該ノズル胴の前記ネジ部に螺合取着する内面にネジ部を有するノズルカップと、該ノズルカップ内の先端部に設けられる噴出細孔を形成する噴出チップと、該噴出チップの上流側及び下流側の少なくとも一面側に配置されるパッキンとから成り、前記噴出チップを前記パッキンを介して前記ノズル胴のネジ部で締着固定したことを特徴とする液体噴出ノズル。【選択図】図１
2004305952.tif 000002
【特許請求の範囲】
【請求項１】
一端側に給液部（９）及び他端側にネジ部を有する管状のノズル胴（２）と、該ノズル胴（２）の前記ネジ部に螺合取着する内面にネジ部を有するノズルカップ（４）と、該ノズルカップ（４）内の先端部に設けられる噴出細孔（８）を形成する噴出チップ（３）と、該噴出チップ（３）の上流側及び下流側の少なくとも一面側に配置されるパッキン（６）、（７）とから成り、前記噴出チップ（３）を前記パッキン（６）、（７）を介して前記ノズル胴（２）のネジ部で締着固定したことを特徴とする液体噴出ノズル。
【請求項２】
一端側に給液部（９）及び他端側にネジ部を有する管状のノズル胴（２）と、該ノズル胴（２）の前記ネジ部に螺合取着する内面にネジ部を有するノズルカップ（４）と、該ノズルカップ（４）内の先端部に設けられる噴出細孔（８）を形成する噴出チップ（３）と、該噴出チップ（３）の上流側及び下流側の少なくとも一面側に配置されるパッキン（６）、（７）と、前記ノズルカップ（４）のネジ部に螺合するネジ部を外面に有する筒状締着部材（５）とから成り、前記噴出チップ（３）を前記パッキン（６）、（７）を介して前記筒状締着部材（５）で締着固定し、前記筒状締着部材（５）の上流側のノズルカップ（４）に前記ノズル胴（２）の前記ネジ部を螺合取着したことを特徴とする液体噴出ノズル。
【請求項３】
ノズル胴（２）のネジ部をノズルカップ（４）の上流側まで延設し、延設したノズル胴（２）のネジ部に螺合するナット（１１）を配置し、該ナット（１１）で前記ノズルカップ（４）を締着することにより前記ノズルカップ（４）の緩みを防止したことを特徴とする請求項１又は請求項２に記載の液体噴出ノズル。
【発明の詳細な説明】
【０００１】
【発明の属する技術分野】
本発明は、液体をジェット流、スプレー状又は線状等に噴出する液体噴出ノズルに関し、特に、高温雰囲気中で好適に使用することができる液体噴出ノズルに関する。
【０００２】
【従来の技術】
従来、高圧に加圧された液体を極めて開口径の小さい噴出細孔から噴射し、木材や合成樹脂などを切断するのに使用されるジェット式液体噴出ノズルや、加圧液体を気体中へ霧状に噴霧し、気体に液体を分散混合するのに使用されるスプレー式液体噴出ノズル、蒸発効率を高めるためにスパイラレータなどの液体分散部材に液体を線状で噴出させる液体噴出ノズルなどが各種の産業で使用されている。
【０００３】
前記従来の液体噴出ノズルの一例を図３に基づいて説明する。なお、図３における（ト）図は一部切欠した液体噴出ノズルの側面図、（チ）図は（ト）図における下方から見た平面図である。
【０００４】
液体噴出ノズル２０は、一端側に給液部２７、他端側に液体の噴出細孔２６を設けた管状のノズル胴２１と、ノズル胴２１内の先端に設けられる噴出細孔２６を形成する噴出チップ２２と、噴出チップ２２の上流側及び下流側の両面側に配置されるパッキン２４、２５と、噴出チップ２２の上流側に配置されノズル胴２１内壁に嵌合する筒状締着部材２３とが配置されて形成され、噴出チップ２２をパッキン２４、２５を介して筒状締着部材２３で押し圧し、筒状締着部材２３とノズル胴２１内壁とを接着剤で接着することにより噴出チップ２２を固定する構成となっている。
【０００５】
なお、液体噴出細孔２６は、上流側から下流側に末広がり状に拡開され、下流端において、径が０．０５〜２ｍｍ程度の細孔であり、また、噴出チップ２２は、セラミックス、金属又は合成樹脂などで製造されている。また、パッキン２４、２５はテフロン（登録商標）、ポリエチレン、ポリプロピレンなどが使用されている。
【０００６】
【発明が解決しようとする課題】
前記従来の液体噴出ノズルにおいては、噴出チップ２２を固定する筒状締着部材２３がノズル胴内壁に接着剤で接着されているため、６０℃以上の高温雰囲気で使用すると接着剤が劣化して緩みを生じ、所定の噴出状態が得られなくなる問題や液体噴出細孔が目詰まりした場合、摩耗による液体噴出細孔の拡開などで所定の噴出状態が得られなくなった場合、パッキンなどの劣化により液洩れする場合、その他、液体噴出ノズルにおいてトラブルが発生した場合には、噴出チップを固定する筒状締着部材がノズル胴内壁に接着剤で接着されているため、ノズル胴の全部を一括交換しなければならず、液体噴出ノズル全体が使用装置の壁などに埋め込まれて固定されている場合には取り外しに時間と労力が掛かり、また、ノズル全体を交換するため設備費も嵩む問題がある。
【０００７】
本発明は、前記の問題に鑑みてなされたものであり、高温雰囲気中であっても支障なく使用することができ、また、ノズル全体を交換する必要がなく、設備費を削減することができる液体噴出ノズルを提供する目的で成されたものである。
【０００８】
【課題を解決するための手段】
前記目的を達成するための本発明の要旨は、請求項１に記載の発明においては、一端側に給液部及び他端側にネジ部を有する管状のノズル胴と、該ノズル胴の前記ネジ部に螺合取着する内面にネジ部を有するノズルカップと、該ノズルカップ内の先端部に設けられる噴出細孔を形成する噴出チップと、該噴出チップの上流側及び下流側の少なくとも一面側に配置されるパッキンとから成り、前記噴出チップを前記パッキンを介して前記ノズル胴のネジ部で締着固定したことを特徴とする液体噴出ノズルである。
【０００９】
前記請求項１の構成では、ノズルカップ内に取り付けられる噴出チップをノズル胴のネジ部で締着固定するため、高温雰囲気中であっても支障なく使用することができ、また、ノズルを構成する部材を分解することができるため、トラブルを起した部材のみを補修すればよく、ノズル全体を交換する必要がないため、設備費を削減することができる。
【００１０】
また、請求項２に記載の発明においては、一端側に給液部及び他端側にネジ部を有する管状のノズル胴と、該ノズル胴の前記ネジ部に螺合取着する内面にネジ部を有するノズルカップと、該ノズルカップ内の先端部に設けられる噴出細孔を形成する噴出チップと、該噴出チップの上流側及び下流側の少なくとも一面側に配置されるパッキンと、前記ノズルカップのネジ部に螺合するネジ部を外面に有する筒状締着部材とから成り、前記噴出チップを前記パッキンを介して前記筒状締着部材で締着固定し、前記筒状締着部材（５）の上流側のノズルカップ（４）に前記ノズル胴（２）の前記ネジ部を螺合取着したことを特徴とする液体噴出ノズルである。
【００１１】
前記請求項２の構成では、ノズルカップ内に取り付けられる噴出チップを筒状締着部材のネジ部で締着固定することにより、高温雰囲気中であっても噴出チップの締着緩みが生じにくく、また、ノズルを構成する部材を分解することができるため、トラブルを起した部材のみを補修すればよく、ノズル全体を交換する必要がないため、設備費を削減することができる。
【００１２】
また、請求項３に記載の発明においては、請求項１又は請求項２に記載の液体噴出ノズルにおいて、ノズル胴のネジ部をノズルカップの上流側まで延設し、延設したノズル胴のネジ部に螺合するナットを配置し、該ナットで前記ノズルカップを締着することにより前記ノズルカップの緩みを防止したことを特徴とする液体噴出ノズルである。
【００１３】
前記構成により、前記請求項１又は請求項２の効果の他に、ノズルを構成するノズルカップをナットで締着固定するため、振動などによるネジ部の緩みが防止され、長期間連続的に使用することができる。
【００１４】
なお、液体噴出細孔は、径が０．０５〜２ｍｍ程度の細孔であり、上流側から下流側に末広がり状に拡開した形状やそれとは逆の下流側から上流側に末広がり状に拡開した形状など、使用形態により適宜に用いられる。また、噴出チップは、セラミックス、金属又は合成樹脂などで製造されるが、摩耗強度が高いセラミックスを用いるのが好ましく、また、パッキンは、テフロン（登録商標）、ポリエチレン、ポリプロピレンなどの合成樹脂や石綿などが使用される。
【００１５】
【発明の実施の形態】
本発明の実施の形態を図面に基づいて説明する。図１は本発明の一実施の形態の液体噴出ノズルであり、（イ）図は一部切欠した液体噴出ノズルの側面図、（ロ）図は（イ）図における下方から見た平面図、（ハ）図は（イ）図におけるＡ部の拡大断面図である。また、図２は本発明の他の実施の形態の液体噴出ノズルであり、（ニ）図は一部切欠した液体噴出ノズルの側面図、（ホ）図は（ニ）図における下方から見た平面図、（ヘ）図は（ニ）図におけるＡ部の拡大断面図である。
なお、両図において、相当する作用を有する部材については同一の符号を付与した。
【００１６】
図１において、符号１は高圧に加圧された液体を極めて開口径の小さい噴出細孔からジェット流として噴射、霧状にして噴霧、又は線状に噴出させる液体噴出ノズルであり、液体噴出ノズル１は、一端側に給液部９、他端側にネジ部を有する管状のノズル胴２と、ノズル胴２の先端ネジ部に螺合取着される内面にネジ部を有するノズルカップ４と、ノズルカップ４内の先端部に設けられる噴出細孔８を形成する噴出チップ３と、噴出チップ３の上流側及び下流側に配置されるパッキン６、７とを設け、ノズル胴２とノズルカップ４をネジ部で締め付けることにより、噴出チップ３を前記パッキン６、７を介してノズル胴２の先端で締着固定している。
【００１７】
図２において、符号１は高圧に加圧された液体を極めて開口径の小さい噴出細孔から噴出させる液体噴出ノズルであり、液体噴出ノズル１は、一端側に給液部９、他端側にネジ部を有する管状のノズル胴２と、ノズル胴２の先端ネジ部に螺合取着される内面にネジ部を有するノズルカップ４と、ノズルカップ４内の先端部に設けられる噴出細孔８を形成する噴出チップ３と、噴出チップ３の上流側及び下流側に配置されるパッキン６、７と、ノズルカップ４のネジ部に螺合するネジ部を外面に有する筒状締着部材５とを設け、筒状締着部材５とノズルカップ４をネジ部で締め付けることにより、噴出チップ３をパッキン６、７を介して筒状締着部材５で締着固定している。
【００１８】
また、図１及び図２の両図における符号１１は、ノズルカップ４の上流側まで延設されたノズル胴２のネジ部に螺合するナットであり、ナット１１のネジ部で締め付けることによりノズルカップを締着し、ノズルカップ４の振動などによる緩みを防止している。また、給液部９は、一端側にノズル胴２のネジ部に螺合するネジ部が内面に設けられ、他端側にストレーナ１３が嵌挿されるソケット１２が設けられ、ソケット１２のネジ部で締め付けることにより、図示しない締め付けパッキンを介してストレーナ１３が締着固定される。
【００１９】
また、ストレーナ１３は、金網や合成繊維などで形成され、噴出細孔８の径が極めて小さい場合に、給液中の細塵による噴出細孔８の閉塞を防止する目的で配置されるのであり、別置の除塵手段や超純水などを用いる場合などでは必ずしも配置する必要はない。
【００２０】
図１又は図２の両図に記載された液体噴出ノズル１では、ノズルカップ４内に取り付けられる噴出チップ３をノズル胴２のネジ部又は筒状締着部材５のねじ部で締着固定するため、高温雰囲気中であっても接着固定と相違して、劣化や緩みを生じる恐れがなく使用することができ、また、各部材がネジ部により締着固定されているため、噴出ノズル１を構成する部材を容易に分解することができ、ノズル全体を交換する必要がなく、設備費を削減することができる。
【００２１】
【発明の効果】
本発明は、高温雰囲気中であっても支障なく使用することができ、また、ノズル全体を交換する必要がなく、設備費を削減することができる液体噴出ノズルである。
【００２２】
また、請求項１に記載の発明においては、ノズルカップ内に取り付けられる噴出チップをノズル胴の先端のネジ部で締着固定するため、高温雰囲気中であっても支障なく使用することができ、また、ノズルを構成する部材を分解することができるため、トラブルを起した部材のみを補修すればよく、ノズル全体を交換する必要がないため、設備費を削減することができる。
【００２３】
また、請求項２に記載の発明においては、ノズルカップ内に取り付けられる噴出チップを筒状締着部材のネジ部で締着固定することにより、高温雰囲気中であっても噴出チップの締着緩みが生じにくく、また、ノズルを構成する部材を分解することができるため、トラブルを起した部材のみを補修すればよく、ノズル全体を交換する必要がないため、設備費を削減することができる。
【００２４】
また、請求項３に記載の発明においては、前記請求項１又は請求項２の効果の他に、ノズルを構成するノズルカップをナットで締着固定するため、振動などによるネジ部の緩みが防止され、長期間連続的に使用することができる。
【図面の簡単な説明】
【図１】本発明の一実施の形態の液体噴出ノズルであり、（イ）図は一部切欠した液体噴出ノズルの側面図、（ロ）図は（イ）図における下方から見た平面図、（ハ）図は（イ）図におけるＡ部の拡大断面図である。
【図２】本発明の他の実施の形態の液体噴出ノズルであり、（ニ）図は一部切欠した液体噴出ノズルの側面図、（ホ）図は（ニ）図における下方から見た平面図、（ヘ）図は（ニ）図におけるＡ部の拡大断面図である。
【図３】従来の液体噴出ノズルの一例であり、（ト）図は一部切欠した液体噴出ノズルの側面図、（チ）図は（ト）図における下方から見た平面図である。
【符号の説明】
１：液体噴出ノズル
２：ノズル胴
３：噴出チップ
４：ノズルカップ
５：筒状締着部材
６、７：パッキン
８：噴出細孔
９：給液部
１１：ナット
１２：ソケット
１３：ストレーナ
【図１】
2004305952.tif 000003
【図２】
2004305952.tif 000004
【図３】
2004305952.tif 000005